(57)【要約】      （修正有）【課題】軽量でコンパクトであり、色旗や誘導灯を収納したまま肩に下げて持ち運ぶことができると共に、組立てが容易で、警備員の負担を大幅に低減させた携帯型カラーコーンを提供する。【解決手段】ベース台２の中央に嵌入孔を開孔し、この嵌入孔に伸縮自在の筒状支柱３の下部側を装着し、この筒状支柱３の上部を開孔してこの内側に色旗や誘導灯を収納する収納部１６を形成すると共に、中間側にレ字形状に折曲自在に形成された複数本の帯状片４を、その上部と下部が、前記筒状支柱３の外面の上部と下部に折曲自在に接続して、複数本の帯状片４を放射状に形成し、前記帯状片４のレ字形状の折曲部１９を、路面と同じ高さに形成すると共に、筒状支柱３にショルダーベルト５を接続し、筒状支柱３を伸ばした時に複数の帯状片４が筒状になり、筒状支柱３を縮めた時に帯状片４がレ字形状に折曲してコーン状に拡大する。【選択図】図１
2014173231.tif 000002
【特許請求の範囲】
【請求項１】
伸縮自在に形成された筒状支柱の上部を開孔して、この内側に色旗や誘導灯を収納する収納部を形成すると共に、中間側がレ字形状に折曲自在に形成された複数本の帯状片を、その上部と下部が、前記筒状支柱の外面の上部と下部に折曲自在に接続して、前記筒状支柱を縮めた時に帯状片が放射状に広がると共に、帯状片の中間が折れてレ字形状の折曲部が形成され、この折曲部を筒状支柱の底面と同じ高さに形成すると共に、筒状支柱を伸ばした時に複数の帯状片が筒状になり、筒状支柱を縮めた時に放射状に広がった帯状片がレ字形状に折曲してコーン状に拡大することを特徴とする携帯型カラーコーン。
【請求項２】
ベース台の中央に嵌入孔を上下方向に開孔し、この嵌入孔に伸縮自在に形成された筒状支柱の下部側を装着して、この内側に色旗や誘導灯を収納する収納部を形成すると共に、中間側がレ字形状に折曲自在に形成された複数本の帯状片を、その上部と下部が、前記筒状支柱の外面の上部と下部に折曲自在に接続して、前記筒状支柱を縮めた時に帯状片が放射状に広がると共に、帯状片の中間が折れてレ字形状の折曲部が形成され、この折曲部をベース台の底面と同じ高さに形成すると共に、筒状支柱を伸ばした時に複数の帯状片が筒状になり、  筒状支柱を縮めた時に放射状に広がった帯状片がレ字形状に折曲してコーン状に拡大することを特徴とする携帯型カラーコーン。
【請求項３】
ベース台の内側に中空部を形成して、ここに液体や砂を封入するようにしたことを特徴とする請求項２記載の携帯型カラーコーン。
【請求項４】
ベース台が、ベース板の上面に角筒部を突設し、この角筒部の内側を筒状支柱の下部が嵌入される嵌入孔としたことを特徴とする請求項２記載の携帯型カラーコーン。
【請求項５】
請求項１または２記載の携帯型カラーコーンにおいて、更に筒状支柱の上部と下部にショルダーベルトの端部を接続したことを特徴とする携帯型カラーコーン。
【請求項６】
請求項１または２記載の携帯型カラーコーンにおいて、更に伸縮自在の筒状支柱の外周と、複数本の帯状片の内側との間に折り畳み自在に色布を取付けたことを特徴とする携帯型カラーコーン。
【発明の詳細な説明】
【技術分野】
【０００１】
本発明は、折り畳み自在に形成した携帯型カラーコーン（登録商標）に関するものである。
【背景技術】
【０００２】
本発明は道路工事現場や、道路に沿った電話線や電線工事、建築工事現場、駐車場などで交通規制する機材として、プラスチックで中空円錐状に形成され、赤色やオレンジ色に着色されたカラーコーンが多く使用されている。特に道路工事現場では、通勤時間帯が終わった後に、カラーコーンを所定の間隔で道路に設置し、１日の工事が終了した後に、これを片付けている。しかしながら従来のカラーコーンは風に飛ばされないように厚肉で重量が重く、精々３個程度重ねて持ち運ぶことしかできず、その上、トラックの荷台からの積み卸しや積み込み作業が重労働である上、嵩張るので多量に運搬できない問題がある。
【０００３】
また道路に沿って行なう電話線や電線工事では、バケット車が順次移動しながら作業するため、この横に立つ警備員は、その都度、重量のあるカラーコーンを持って移動しなければならなかった。また工事現場で車両規制する場合には、カラーコーンを設置するだけでなく、赤色や緑色の旗を交互に振って交通誘導している。また夜間には点滅する誘導灯を使用している。このため警備員は、カラーコーンの他に色旗や誘導灯を持って移動しなければならず、置き忘れる恐れがあった。
【０００４】
また軽量で持ち運びが容易で、現場での組立て作業も簡単なカラーコーンが従来提案されている。例えば、二つ折りにした角錐本体の縦方向に複数の折曲線と、二つ折りの座板に角錐本体が嵌入できる同形の抜き孔を穿孔し、座板の抜き孔に前記角錐本体を嵌合して組み立てられるように構成した折り畳み式カラーコーン（特許文献１）が提案されている。
【０００５】
しかしながらこのカラーコーンは、木材や発泡材、紙製ダンボール、プラスチック製ダンボール、金属板などで形成され、運搬や組立てが容易ではあるが、発泡材や紙製ダンボールでは風で飛ばされる危険があり、重量のある材料で座板を形成する必要がある。
【０００６】
またホルダーを有するベース板と、ホルダーに挿入される支柱と、支柱の外周をスライドするスライド筒と、これに固定されたスライドリングと、連動スリーブと、スライドリングおよび連動スリーブに一端が回転自在に取り付けられ、他端が開閉ロッドに回転可能に取り付けられた連結ロッドと、開閉ロッドの外周を覆うスカートとを設けた傘状の折り畳み式カラーコーン（特許文献２）も提案されている。これは標識部とベース板が分離でき、なおかつ標識部が傘のように折り畳める構造なので、小型で収納や運搬が容易である。
【０００７】
しかしながらこの傘状の折り畳み式カラーコーンは全体をスカートで覆っているので、強風で飛ばされる恐れがあり、ベース板を重量のある材料で形成する必要がある。また上記特許文献１、２は色旗や誘導灯を収納する空間部がなく、これらを別個に持ち運ばなければならず、置き忘れる問題があった。
【先行技術文献】
【特許文献】
【０００８】
【特許文献１】特開２００３−２０６５１５号公報
【特許文献２】実開平５−３８０１７号公報
【発明の概要】
【発明が解決しようとする課題】
【０００９】
本発明は上記問題を改善し、軽量でコンパクトであり、色旗や誘導灯を収納したまま肩に下げて持ち運ぶことができると共に、組立てが容易で、警備員の負担を大幅に低減させた携帯型カラーコーンを提供するものである。
【課題を解決するための手段】
【００１０】
本発明の請求項１記載の携帯型カラーコーンは、伸縮自在に形成された筒状支柱の上部を開孔して、この内側に色旗や誘導灯を収納する収納部を形成すると共に、中間側がレ字形状に折曲自在に形成された複数本の帯状片を、その上部と下部が、前記筒状支柱の外面の上部と下部に折曲自在に接続して、前記筒状支柱を縮めた時に帯状片が放射状に広がると共に、帯状片の中間が折れてレ字形状の折曲部が形成され、この折曲部を筒状支柱の底面と同じ高さに形成すると共に、筒状支柱を伸ばした時に複数の帯状片が筒状になり、筒状支柱を縮めた時に放射状に広がった帯状片がレ字形状に折曲してコーン状に拡大すること特徴とするものである。
【００１１】
本発明の請求項２記載の携帯型カラーコーンは、ベース台の中央に嵌入孔を上下方向に開孔し、この嵌入孔に伸縮自在に形成された筒状支柱の下部側を装着して、この内側に色旗や誘導灯を収納する収納部を形成すると共に、中間側がレ字形状に折曲自在に形成された複数本の帯状片を、その上部と下部が、前記筒状支柱の外面の上部と下部に折曲自在に接続して、前記筒状支柱を縮めた時に帯状片が放射状に広がると共に、帯状片の中間が折れてレ字形状の折曲部が形成され、この折曲部をベース台の底面と同じ高さに形成すると共に、筒状支柱を伸ばした時に複数の帯状片が筒状になり、筒状支柱を縮めた時に放射状に広がった帯状片がレ字形状に折曲してコーン状に拡大することを特徴とするものである。
【００１２】
本発明の請求項３記載の携帯型カラーコーンは、請求項２において、ベース台の内側に中空部を形成して、ここに液体や砂を封入するようにしたことを特徴とするものである。
【００１３】
本発明の請求項４記載の携帯型カラーコーンは、請求項２において、ベース台が、ベース板の上面に角筒部を突設し、この角筒部の内側を筒状支柱の下部が嵌入される嵌入孔としたことを特徴とするものである。
【００１４】
本発明の請求項５記載の携帯型カラーコーンは、請求項１または２記載の携帯型カラーコーンにおいて、更に筒状支柱の上部と下部にショルダーベルトの端部を接続したことを特徴とするものである。
【００１５】
本発明の請求項６記載の携帯型カラーコーンは、請求項１または２記載の携帯型カラーコーンにおいて、更に伸縮自在の筒状支柱の外周と、複数本の帯状片の内側との間に折り畳み自在に色布を取付けたことを特徴とするものである。
【発明の効果】
【００１６】
本発明に係る請求項１記載の携帯型カラーコーンによれば、外側に帯状片を筒状に取付けた筒状支柱の収納部に色旗と誘導灯を収納して、交通規制する現場に行く。到着したら、筒状支柱の収納部に収納した色旗と誘導灯を取り出す。この後、筒状支柱の頭部を押し下げて短くすると、筒状支柱の上部と下部に接続された帯状片が折曲すると共に、中間でレ字形状に折曲して、筒状支柱の底面と同じ高さに放射状に広がって路面に接地した状態となって、安定して自立したカラーコーンとなる。
【００１７】
したがって、軽量で移動が容易であり、またコンパクトに折り畳めるのでトラックの荷台に多数積むことができると共に、積み卸しや積み込み作業も容易である。また筒状支柱の収納部に色旗や誘導灯を入れて持ち運べるので置き忘れを防止することができる。
【００１８】
また請求項２記載の携帯型カラーコーンによれば、ベース台の中央に嵌入孔を上下方向に開孔し、この嵌入孔に伸縮自在に形成された筒状支柱の下部側を装着して立設させるのでベース台に支持されると共に、レ字形状の折曲部がベース台の底面と同じ高さに放射状に広がって路面に接地した状態となって、安定して自立したカラーコーンが形成される。
【００１９】
また請求項３記載の携帯型カラーコーンによれば、ベース台の内側に中空部を形成して、ここに液体や砂を封入するようにしたので、重量が重くなり更に安定して自立できると共に、現場で液体や砂を封入できるので運搬も容易である。
【００２０】
また請求項４記載の携帯型カラーコーンによれば、ベース台をベース板の上面に角筒部を突設し、この角筒部の内側を筒状支柱の下部が嵌入される嵌入孔を形成したので、ベース台を金属で形成すれば、重量が重くなり筒状支柱を更に安定して自立できる。
【００２１】
また請求項５記載の携帯型カラーコーンによれば、筒状支柱の上部と下部にショルダーベルトの端部を接続したので、肩に掛けて運ぶことができる。更にショルダーベルトに反射テープを取付ければ、夜間でも遠くから認識することができる。
【００２２】
また請求項６記載の携帯型カラーコーンによれば、伸縮自在の筒状支柱の外周と、複数本の帯状片の内側との間に折り畳み自在に色布を取付けたので、どの方向から見ても色布により透けて見えず、従来の円錐状のカラーコーンのように見えるので視認性が良い。
【発明を実施するための最良の形態】
【００２３】
以下本発明の実施例を図１ないし図１０を参照して詳細に説明する。図において１は携帯型カラーコーンを示すもので、２はベース台、３はこのベース台２に支持される八角形の筒状支柱、４はこの筒状支柱３の外側に放射状に取付けた８本の帯状片、５は筒状支柱３の上下に接続されたショルダーベルトである。
【００２４】
前記ベース台２は図３および図４に示すように外形が八角形をなす筒状で、その中心に八角形をなす嵌入孔８が上下に貫通して開孔されていると共に、一部が切欠されて切欠部７が形成されている。更に八角形をなすベース台２の切欠部７を除いた７つの各辺の上部側が、中心側の嵌入孔８に向かって斜めのテーパー面９が形成されている。またベース台２の１辺の側面には注水孔が開孔され、ここにキャップ１１が取付けられている。
【００２５】
このベース台２の中央の嵌入孔８に嵌入される八角形の筒状支柱３は、図５に示すように上部筒状体３Ａの下部側に、これより外形の小さい中間筒状体３Ｂが一体に接続され、更にこの中間筒状体３Ｂの下部側は、これより外形の大きい下部筒状体３Ｃに伸縮自在に挿着されている。また上部筒状体３Ａの上部にはリング１２が取付けられ、ここにショルダーベルト５の上部が連結されている。更に下部筒状体３Ｃの下部側面には取付板１３が突設され、ここに取付けたリング１２にショルダーベルト５の下部が連結されている。このショルダーベルト５の外側には図６に示すように反射テープ６が取付けられている。
【００２６】
また八角形の筒状支柱３の上部は開孔し、下部にはメッシュ１５が取付けられ、この内側に収納部１６が形成され、ここに図１０に示すように赤旗２２や緑旗２３、誘導灯２４を収納するようになっている。
【００２７】
また帯状片４は硬質のプラスチックで形成され、その上部側に図７に示すように凹部１８が形成され、この凹部１８に折曲部１９が形成されている。また帯状片４は、図８に示すようにその中間下部側で切り離されて、この切り離された両側を軟質のプラスチックテープ２０で接続してレ字形状に折曲自在の折曲部１９が形成されている。更に帯状片４の下部側に図９に示すように凹部１８が形成され、この凹部１８に折曲部１９が形成されている。
【００２８】
この８本の帯状片４を、その上部と下部が、前記筒状支柱４を伸ばした状態で八角形の外面の上部と下部に接続して、図６に示すように筒状に取付ける。筒状支柱４の中間筒状体３Ｂを下部筒状体３Ｃに押し込んで短くすると、図１および図２に示すように帯状片４の中間がレ字形状に折曲すると共に、上部側の折曲部１９が折曲し、下部側の折曲部１９が折曲して放射状に広がる。この時、中間のレ字形折曲部１９は図２に示すようにベース台の底面と同じ高さになるように形成されている。
【００２９】
上記構成の携帯型カラーコーンは、帯状片４を筒状に取付けた八角形の筒状支柱３と空のベース台２を持って交通規制する現場に行く。この時、図１０に示すように八角形の筒状支柱３の外側に筒状に取付けた複数の帯状片４が広がらないようにバンド２８で縛って、収納部１６に赤旗２２と緑旗２３、誘導灯２４を収納して、警備員２７の肩にショルダーベルト５を斜めに掛けて運ぶ。ショルダーベルト５には反射テープ６が取付けられているので、夜間でも警備員２７を認識することができる。
【００３０】
現場に到着したら、図３および図４に示すように中空のベース台２のキャップ１１を取り外して、ここからペットボトルの水２６を注入して、キャップ１１を取付ける。この注入量は例えば５００ミリリットル程度注入する。この後、筒状支柱３の収納部１６に収納されていた赤旗２２と緑旗２３、誘導灯２４を取り出す。次に水２６を注入したベース台２を路面に置いて、このベース台２の中心に開口した八角形の嵌入孔８に八角形の筒状支柱３の下部を挿着して立設させる。
【００３１】
この後、筒状支柱３の頭部を押し下げると図１および図２に示すように、上部筒状体３Ａの下に一体に接合した中間筒状体３Ｂは、下部筒状体３Ｃの内側に押し込まれて筒状支柱３が短くなる。これに伴って、上部筒状体３Ａの上部と下部筒状体３Ｃの下部に両端が接続された帯状片４が、その近傍の凹部１８で形成された折曲部１９、１９で外側に折曲すると共に、中間でレ字形状に折曲して、その折曲部１９が図２に示すようにベース台２の底面と同じ高さ、即ち放射状に広がって路面に接地した状態となって安定する。
【００３２】
また携帯型カラーコーン１を移動させる場合には、ベース台２の中心に開口した嵌入孔８から筒状支柱３を上方に抜き取ると、図５および図６のように帯状片４は真っ直ぐになって筒状になる。この状態でベース台２と共に新たな場所に移動させ、そこで再び組み立てて設置する。
【００３３】
図１１は本発明の他の実施の形態を示すもので、放射状に広がった帯状片４の１本おきに、このレ字形状に折曲した上部内側と、筒状支柱３の上部筒状体３Ａとの間に帯状片４と同じ色に着色した三角形状の布３０を取付けたものである。これは筒状支柱３を中心に十字状に布３０が取付けられているので、どの方向から見ても布３０により透けて見えず従来の円錐状のカラーコーンのように見えるので視認性が良い。
【００３４】
図１２は本発明の他の実施の形態を示すもので、ベース台２を鋼板と鋼管で形成したもので、ベース板３２を八角形の鋼板で形成し、この上面中央に八角筒状の鋼管で形成した角筒部３３を突設したもので、この角筒部３３の内側に八角形の筒状支柱３が嵌入する嵌入孔８を形成したものである。このベース台２は重量のある金属で形成されているので、強風の屋外に設置しても風に吹き飛ばされにくく安定して自立させることができる。
【００３５】
図１３は本発明の異なる他の実施の形態を示すもので、図１に示す携帯型カラーコーン１のベース台２とショルダーベルト５を省いたもので、他の構造は同じである。これは道路工事現場や、電線工事、建築工事現場、屋外駐車場など屋外で使用するものではなく、風のない屋内駐車場や屋内のイベント会場などで、侵入の規制や整列のガイドとして使用ずる場合に便利である。
【００３６】
なお上記説明では帯状片４として硬質のプラスチック片で形成した場合について示したが、リブを設けることにより曲げ強度を向上させて撓みを防止することができる。また折曲部１９は上記構成に限らず蝶番状のヒンジを用いて折曲自在に形成したものでも良い。
【００３７】
また上記説明では筒状支柱３を八角形状に形成した場合について示したが六角形状や四角形状でも良い。また色旗は赤旗２２や緑旗２３に限らず黄色旗でも良い。
【図面の簡単な説明】
【００３８】
【図１】本発明の実施の一形態による携帯型カラーコーンの使用状態を示す斜視図である。
【図２】図１の断面図である。
【図３】ベース台の斜視図である。
【図４】ベース台の平面図である。
【図５】帯状片を取付けた筒状支柱の断面図である。
【図６】図５の正面図である。
【図７】筒状支柱の上部に接続した帯状片の折曲部を拡大して示す断面図である。
【図８】帯状片の中間のレ字形状折曲部を拡大して示す断面図である。
【図９】筒状支柱の下部に接続した帯状片の折曲部を拡大して示す断面図である。
【図１０】警備員の肩に筒状支柱をショルダーベルトで掛けて移動している状態を示す説明図である。
【図１１】本発明の他の実施の形態による八角形の筒状支柱と帯状片との間に布を取付けた携帯型カラーコーンの斜視図である。
【図１２】本発明の他の実施の形態による鋼板と鋼管で形成したベース台を示す斜視図である。
【図１３】本発明の異なる他の実施の形態による、ベース台とショルダーベルトを省いた携帯型カラーコーンの斜視図である。
【符号の説明】
【００３９】
１    携帯型カラーコーン                                    
２    ベース台                                              
３    八角形の筒状支柱                                      
３Ａ  上部筒状体                                            
３Ｂ  中間筒状体                                            
３Ｃ  下部筒状体                                            
４    帯状片                                                
５    ショルダーベルト                                      
６    反射テープ                                            
７    切欠部                                                
８    嵌入孔                                                
９    テーパー面                                            
１１  キャップ                                              
１２  リング                                                
１３  取付板                                                
１５  メッシュ                                              
１６  収納部                                                
１８  凹部                                                  
１９  折曲部                                                
２０  プラスチックテープ        
２２  赤旗  
２３  緑旗  
２４  誘導灯  
２６  水    
２７  警備員  
２８  バンド  
３０  布    
３２  ベース板                                      
３３  角筒部  
【図１】
2014173231.tif 000003
【図２】
2014173231.tif 000004
【図３】
2014173231.tif 000005
【図４】
2014173231.tif 000006
【図５】
2014173231.tif 000007
【図６】
2014173231.tif 000008
【図７】
2014173231.tif 000009
【図８】
2014173231.tif 000010
【図９】
2014173231.tif 000011
【図１０】
2014173231.tif 000012
【図１１】
2014173231.tif 000013
【図１２】
2014173231.tif 000014
【図１３】
2014173231.tif 000015